(57)【要約】      （修正有）【課題】物品の搬入作業に伴う冷蔵室の温度上昇を抑制することが可能な冷蔵システムを提供する。【解決手段】この冷蔵システム１は、物品５０が約−２５℃で冷蔵保存される冷蔵室２と、冷蔵室２を約−２５℃に保つ冷蔵室内空調機２０と、冷蔵室２に隣接して配置され、物品５０を外部から搬入する搬入口４を有するとともに、外部の温度よりも低くかつ冷蔵室２内の温度よりも高い約−５℃に維持される前室３と、前室３を約−５℃に保つ前室内空調機３０と、外部から前室３への物品５０の搬入作業と連動して、物品５０の搬入作業に伴う冷蔵室２の温度上昇を抑制するように、冷蔵室内空調機２０および前室内空調機３０を稼働させる温度抑制制御を行うメイン制御部５とを備えている。【選択図】図１
2015068629.tif 000002
【特許請求の範囲】
【請求項１】
物品が第１温度で冷蔵保存される冷蔵室と、
前記冷蔵室を前記第１温度に保つ冷蔵室内空調機と、
前記冷蔵室に隣接して配置され、前記物品を外部から搬入する搬入口を有するとともに、前記外部の温度よりも低くかつ前記第１温度よりも高い第２温度に維持される前室と、
前記前室を前記第２温度に保つ前室内空調機と、
外部から前記前室への前記物品の搬入作業と連動して、前記物品の搬入作業に伴う前記冷蔵室の温度上昇を抑制するように、前記冷蔵室内空調機および前記前室内空調機のうちの少なくとも一方を稼働させる第１制御を行う制御手段とを備える、冷蔵システム。
【請求項２】
前記制御手段は、前記冷蔵室への前記物品の搬入作業の前に行われる前記前室への前記物品の搬入作業が開始されたことに基づいて、前記物品の搬入作業に伴う前記冷蔵室の温度上昇を抑制するように、前記冷蔵室内空調機および前記前室内空調機のうちの少なくとも一方を稼働させる前記第１制御を開始するように構成されている、請求項１に記載の冷蔵システム。
【請求項３】
前記搬入口に設けられる前室扉と、
前記前室扉の開閉を検知する前室扉開閉検知部とをさらに備え、
前記制御手段は、前記前室への前記物品の搬入作業の開始時に前記前室扉開閉検知部により前記前室扉の開放が検知されたことに基づいて、前記物品の搬入作業に伴う前記冷蔵室の温度上昇を抑制するように、前記冷蔵室内空調機および前記前室内空調機のうちの少なくとも一方を稼働させる前記第１制御を開始するように構成されている、請求項２に記載の冷蔵システム。
【請求項４】
前記物品の搬入開始予定時刻が記憶される記憶部をさらに備え、
前記制御手段は、前記前室扉開閉検知部により前記前室扉の開放が検知されたこと、および、前記記憶部に記憶された前記搬入開始予定時刻のうちのいずれか早い方に基づいて、前記物品の搬入作業に伴う前記冷蔵室の温度上昇を抑制するように、前記冷蔵室内空調機および前記前室内空調機のうちの少なくとも一方を稼働させる前記第１制御を開始するように構成されている、請求項３に記載の冷蔵システム。
【請求項５】
前記制御手段は、前記第１制御を行う際に、前記前室への前記物品の搬入作業と連動して、前記物品の搬入作業に伴う前記冷蔵室および前記前室の温度上昇を抑制するように、前記冷蔵室内空調機および前記前室内空調機の両方を稼働させるように構成されている、請求項１〜４のいずれか１項に記載の冷蔵システム。
【請求項６】
前記制御手段は、前記前室および前記冷蔵室への搬入作業時以外では、前記冷蔵室内空調機および前記前室内空調機を間欠的に稼働させることにより、前記冷蔵室および前記前室をそれぞれ前記第１温度および前記第２温度に維持する第２制御を行うとともに、前記前室および前記冷蔵室への搬入作業時では、前記冷蔵室内空調機および前記前室内空調機のうちの少なくとも一方を連続的に稼働させることにより、前記物品の搬入作業に伴う前記冷蔵室の温度上昇を抑制する前記第１制御を開始するように構成されている、請求項１〜５のいずれか１項に記載の冷蔵システム。
【請求項７】
前記冷蔵室と前記前室との間に設けられる冷蔵室扉と、
前記冷蔵室扉の開閉を検知する冷蔵室扉開閉検知部と、
前記搬入口に設けられる前室扉と、
前記前室扉の開閉を検知する前室扉開閉検知部とをさらに備え、
前記制御手段は、前記冷蔵室扉開閉検知部により前記冷蔵室扉の閉鎖が検知されたこと、または、前記前室扉開閉検知部により前記前室扉の閉鎖が検知されたことに基づいて、前記第１制御を終了するように構成されている、請求項１〜６のいずれか１項に記載の冷蔵システム。
【発明の詳細な説明】
【技術分野】
【０００１】
この発明は、冷蔵システムに関し、特に、冷蔵室と前室とを備えた冷蔵システムに関する。
【背景技術】
【０００２】
従来、冷蔵室と前室とを備えた冷蔵システムが知られている（たとえば、特許文献１参照）。
【０００３】
上記特許文献１には、物品が超低温（第１温度）で冷蔵保存される貯蔵室（冷蔵室）と、貯蔵室に隣接して配置され、物品を外部から搬入する搬入口を有するとともに、外部の温度よりも低くかつ超低温よりも高い中間の温度（第２温度）に維持される前室と、前室の搬入口に設けられる断熱扉と、前室と貯蔵室との間に設けられる断熱扉とを含む冷蔵システムを備える超低温冷凍自動倉庫が開示されている。
【先行技術文献】
【特許文献】
【０００４】
【特許文献１】特開平１０−１５７８０８号公報
【発明の概要】
【発明が解決しようとする課題】
【０００５】
しかしながら、上記特許文献１に記載された冷蔵システムでは、断熱扉を開放して行う前室への物品の搬入作業に伴い、前室に暖かい空気が侵入することにより、前室の温度が上昇してしまうとともに、前室から貯蔵室への物品の搬入作業に伴い、温度が上昇した前室から暖かい空気が超低温の貯蔵室に侵入することにより、貯蔵室の温度が上昇してしまうという問題点がある。すなわち、断熱扉を開放して行う物品の搬入作業に伴い、貯蔵室の冷気の一部と外部の空気とが前室を介して間接的に置換されてしまうため、貯蔵室への外部からの熱侵入を許容してしまい、その結果、貯蔵室の温度が上昇してしまうという問題点がある。
【０００６】
この発明は、上記のような課題を解決するためになされたものであり、この発明の１つの目的は、物品の搬入作業に伴う冷蔵室の温度上昇を抑制することが可能な冷蔵システムを提供することである。
【課題を解決するための手段】
【０００７】
この発明の一の局面による冷蔵システムは、物品が第１温度で冷蔵保存される冷蔵室と、冷蔵室を第１温度に保つ冷蔵室内空調機と、冷蔵室に隣接して配置され、物品を外部から搬入する搬入口を有するとともに、外部の温度よりも低くかつ第１温度よりも高い第２温度に維持される前室と、前室を第２温度に保つ前室内空調機と、外部から前室への物品の搬入作業と連動して、物品の搬入作業に伴う冷蔵室の温度上昇を抑制するように、冷蔵室内空調機および前室内空調機のうちの少なくとも一方を稼働させる第１制御を行う制御手段とを備えている。
【０００８】
この発明の一の局面による冷蔵システムでは、上記のように、外部から前室への物品の搬入作業と連動して、物品の搬入作業に伴う冷蔵室の温度上昇を抑制するように、冷蔵室内空調機および前室内空調機のうちの少なくとも一方を稼働させることによって、前室への物品の搬入作業の後に行われる冷蔵室への物品の搬入作業の前から、冷蔵室内空調機および前室内空調機のうちの少なくとも一方を外部から前室への物品の搬入作業と連動させて、予め稼働させることができるので、前室から冷蔵室への物品の搬入作業に伴う、前室からの暖かい空気（前室に侵入した外部の空気）の侵入に備えることができ、物品の搬入作業に伴う冷蔵室の温度上昇を抑制することができる。
【０００９】
上記一の局面による冷蔵システムにおいて、好ましくは、制御手段は、冷蔵室への物品の搬入作業の前に行われる前室への物品の搬入作業が開始されたことに基づいて、物品の搬入作業に伴う冷蔵室の温度上昇を抑制するように、冷蔵室内空調機および前室内空調機のうちの少なくとも一方を稼働させる第１制御を開始するように構成されている。このように構成すれば、冷蔵室の温度上昇に影響する前室への物品の搬入作業の開始時点から、冷蔵室内空調機および前室内空調機のうちの少なくとも一方を稼働させることができるので、前室から冷蔵室への物品の搬入作業に伴う、前室からの暖かい空気の侵入により十分に備えることができ、物品の搬入作業に伴う冷蔵室の温度上昇をより抑制することができる。
【００１０】
この場合、好ましくは、搬入口に設けられる前室扉と、前室扉の開閉を検知する前室扉開閉検知部とをさらに備え、制御手段は、前室への物品の搬入作業の開始時に前室扉開閉検知部により前室扉の開放が検知されたことに基づいて、物品の搬入作業に伴う冷蔵室の温度上昇を抑制するように、冷蔵室内空調機および前室内空調機のうちの少なくとも一方を稼働させる第１制御を開始するように構成されている。このように構成すれば、外部の空気が侵入する前室扉の開放に基づいて、冷蔵室内空調機および前室内空調機のうちの少なくとも一方を稼働させることができるので、前室から冷蔵室への物品の搬入作業に伴う、前室からの暖かい空気の侵入に備えることができ、物品の搬入作業に伴う冷蔵室の温度上昇を効果的に抑制することができる。
【００１１】
上記前室扉開閉検知部を備える構成において、好ましくは、物品の搬入開始予定時刻が記憶される記憶部をさらに備え、制御手段は、前室扉開閉検知部により前室扉の開放が検知されたこと、および、記憶部に記憶された搬入開始予定時刻のうちのいずれか早い方に基づいて、物品の搬入作業に伴う冷蔵室の温度上昇を抑制するように、冷蔵室内空調機および前室内空調機のうちの少なくとも一方を稼働させる第１制御を開始するように構成されている。このように構成すれば、前室扉開閉検知部により前室扉の開放が検知される前に、搬入開始予定時刻になった場合には、前室扉開閉検知部により前室扉の開放が検知される前から冷蔵室内空調機および前室内空調機のうちの少なくとも一方を予め稼働させることができるので、物品の搬入作業に伴う冷蔵室の温度上昇をより効果的に抑制することができる。また、搬入開始予定時刻よりも前に物品の搬入作業が行われる場合であっても、前室扉の開放に基づいて、冷蔵室内空調機および前室内空調機のうちの少なくとも一方を稼動させることができるので、前室から冷蔵室への物品の搬入作業に伴う、前室からの暖かい空気の侵入に備えることができ、物品の搬入作業に伴う冷蔵室の温度上昇を確実に抑制することができる。
【００１２】
上記一の局面による冷蔵システムにおいて、好ましくは、制御手段は、第１制御を行う際に、前室への物品の搬入作業と連動して、物品の搬入作業に伴う冷蔵室および前室の温度上昇を抑制するように、冷蔵室内空調機および前室内空調機の両方を稼働させるように構成されている。このように構成すれば、前室への物品の搬入作業と連動して、冷蔵室内空調機および前室内空調機の両方を稼働させることにより、一方だけ稼働させる場合と比べて、前室から冷蔵室への物品の搬入作業に伴う、前室からの暖かい空気の侵入により効果的に備えることができ、物品の搬入作業に伴う冷蔵室の温度上昇をより一層効果的に抑制することができる。
【００１３】
上記一の局面による冷蔵システムにおいて、好ましくは、制御手段は、前室および冷蔵室への搬入作業時以外では、冷蔵室内空調機および前室内空調機を間欠的に稼働させることにより、冷蔵室および前室をそれぞれ第１温度および第２温度に維持する第２制御を行うとともに、前室および冷蔵室への搬入作業時では、冷蔵室内空調機および前室内空調機のうちの少なくとも一方を連続的に稼働させることにより、物品の搬入作業に伴う冷蔵室の温度上昇を抑制する第１制御を開始するように構成されている。このように構成すれば、冷蔵室内空調機および前室内空調機のうちの少なくとも一方を間欠的な稼動から連続的な稼動に変更することにより、物品の搬入作業に伴う冷蔵室の温度上昇を抑制する第１制御を開始することができるので、容易に冷蔵室の温度上昇を抑制するための第１制御を行うことができる。
【００１４】
上記一の局面による冷蔵システムにおいて、好ましくは、冷蔵室と前室との間に設けられる冷蔵室扉と、冷蔵室扉の開閉を検知する冷蔵室扉開閉検知部と、搬入口に設けられる前室扉と、前室扉の開閉を検知する前室扉開閉検知部とをさらに備え、制御手段は、冷蔵室扉開閉検知部により冷蔵室扉の閉鎖が検知されたこと、または、前室扉開閉検知部により前室扉の閉鎖が検知されたことに基づいて、第１制御を終了するように構成されている。このように構成すれば、冷蔵室扉または前室扉の閉鎖により外部の空気が冷蔵室に侵入しなくなることから、冷蔵室の温度上昇を抑制する必要がなくなる。これにより、第１制御を終了することによって、冷蔵室内空調機および前室内空調機の稼動が不要な場合は、冷蔵室内空調機および前室内空調機の稼動を停止させることができるので、冷蔵システムにおける電力消費を抑制することができる。
【発明の効果】
【００１５】
本発明によれば、上記のように、物品の搬入作業に伴う冷蔵室の温度上昇を抑制することができる。
【図面の簡単な説明】
【００１６】
【図１】本発明の第１実施形態による冷蔵システムの概略的な全体構成を示した上方から見た平面模式図である。
【図２】本発明の第１実施形態による冷蔵システムにおけるメイン制御部の空調機への制御処理フローを示した図である。
【図３】本発明の第２実施形態による冷蔵システムの概略的な全体構成を示した上方から見た平面模式図である。
【図４】本発明の第２実施形態による冷蔵システムにおけるメイン制御部の空調機への制御処理フローを示した図である。
【図５】本発明の第３実施形態による冷蔵システムの概略的な全体構成を示した上方から見た平面模式図である。
【発明を実施するための形態】
【００１７】
以下、本発明の実施形態を図面に基づいて説明する。
【００１８】
（第１実施形態）
図１および図２を参照して、本発明の第１実施形態による冷蔵システム１の構成について説明する。
【００１９】
第１実施形態による冷蔵システム１は、図１の平面模式図に示すように、上方から見て、冷蔵保存が必要な冷凍食品などの物品５０が外部から搬入されるとともに、搬入された物品５０を低温での温度管理の下で冷蔵保存することが可能なように構成されている。冷蔵システム１は、冷凍食品などの物品５０が約−２５℃の温度で冷蔵保存される冷蔵室２と、外部の温度（たとえば、約２０℃）よりも高くかつ冷蔵室２の温度よりも高い約−５℃の温度に維持される前室３とを備えている。また、冷蔵システム１は、外部からの物品５０の搬入作業に連動して、物品５０の搬入作業に伴う冷蔵室２および前室３の温度上昇を抑制するように構成されている。これにより、冷蔵システム１は、搬入される物品５０の温度上昇を抑制することにより、温度上昇による物品５０の損傷を回避するように構成されている。
【００２０】
冷蔵室２と前室３とは、互いに隣接して配置されている。また、前室３には、物品５０を外部（冷蔵室２および前室３の外）から搬入するための搬入口４が設けられている。なお、図１では、冷蔵室２内で物品５０が冷蔵保存されている状態を示している。また、冷蔵室２の約−２５℃の温度は、本発明の「第１温度」の一例である。また、前室３の約−５℃の温度は、本発明の「第２温度」の一例である。
【００２１】
また、冷蔵システム１は、冷蔵室２内を約−２５℃の温度に保つ冷蔵室内空調機２０と、前室３内を約−５℃の温度に保つ前室内空調機３０と、冷蔵室２と前室３との間に設けられた冷蔵室扉２１と、外部から物品５０が搬入される搬入口４に設けられた前室扉３１とをさらに備えている。
【００２２】
また、冷蔵室扉２１周辺と前室扉３１周辺とには、それぞれ冷蔵室扉開閉センサ２２と前室扉開閉センサ３２とが設けられている。冷蔵システム１は、この冷蔵室扉開閉センサ２２と前室扉開閉センサ３２とによる冷蔵室扉２１と前室扉３１とのそれぞれの開閉の検知に伴い、冷蔵室内空調機２０と前室内空調機３０とのそれぞれの稼働状態を変更可能に構成されている。冷蔵室内空調機２０と前室内空調機３０との稼働状態については、後述する。これにより、冷蔵システム１は、冷蔵室扉２１と前室扉３１との開閉に伴う冷蔵室２と前室３との温度上昇を抑制することが可能に構成されている。すなわち、冷蔵システム１は、物品５０の搬入作業に伴う冷蔵室２と前室３との温度上昇を抑制することが可能に構成されている。なお、冷蔵室内空調機２０は、冷蔵室２内に２つ設けられている。また、冷蔵室扉開閉センサ２２および前室扉開閉センサ３２は、それぞれ本発明の「冷蔵室扉開閉検知部」および「前室扉開閉検知部」の一例である。
【００２３】
また、冷蔵システム１は、冷蔵室内空調機２０と前室内空調機３０と冷蔵室扉開閉センサ２２と前室扉開閉センサ３２とに電気的に接続されるとともに、冷蔵システム１の温度管理をするための制御を行うメイン制御部５をさらに備えている。なお、メイン制御部５は、本発明の「制御手段」の一例である。
【００２４】
次に、図１を参照して、冷蔵システム１の各部の構成について説明する。
【００２５】
冷蔵室２は、図１の平面模式図に示すように、上方から見て、床部２３と、床部２３に対して略垂直な側壁部２４と、床部２３に対して略平行な天井部（図示しない）とによって略中空箱形の外形に形成されている。また、床部２３、側壁部２４および天井部は、断熱性を有する材料から形成されている。このため、冷蔵室２は、長時間にわたり内部を低温（約−２５℃）に維持する（外部と内部とを熱的に隔離させる）ことが可能なように構成されている。
【００２６】
また、冷蔵室２は、図１に示すように、前室３を介して、外部から物品５０が搬入されるように構成されている。すなわち、冷蔵室２には、外部の空気が直接的に侵入することはなく、前室３を介して外部の空気が間接的に侵入するように構成されている。このように、冷蔵室２は、外部よりも低温の前室３を介して物品５０を搬入することにより、急激な温度上昇を抑制することが可能なように構成されている。また、冷蔵室２の内部には、２つの冷蔵室内空調機２０が、冷蔵室扉２１側（前室３側、Ｘ２方向側）と冷蔵室扉２１側から離間した側（Ｘ１方向側）とにそれぞれ設けられている。
【００２７】
前室３は、図１の平面模式図に示すように、上方から見て、床部３３と、床部３３に対して略垂直な側壁部３４と、床部３３に対して略平行な天井部（図示しない）とによって略中空箱形の外形に形成されている。また、床部３３、側壁部３４および天井部は、断熱性を有する材料から形成されている。このため、前室３は、長時間にわたり内部を低温（約−５℃）に維持する（外部と内部とを熱的に隔離させる）ことが可能に構成されている。
【００２８】
また、前室３は、図１に示すように、外部の搬入口４付近に横付けされた冷凍車（図示しない）から物品５０が搬入されるように構成されている。また、前室３は、搬入された物品５０を内部に一時的に留め置いて、冷蔵室２に搬入する前に荷捌き作業を行うことが可能なように構成されている。また、前室３の内部には、１つの前室内空調機３０が、前室扉３１側から離間した側（Ｙ１方向側）に設けられている。なお、図１に示すように、冷蔵室２の冷蔵室扉２１が設けられている側（冷蔵室２のＸ２方向側）の側壁部２４と、前室３の冷蔵室扉２１が設けられている側（前室３のＸ１方向側）の側壁部３４とは、互いに共通である。
【００２９】
冷蔵室内空調機２０は、図１に示すように、空調機制御部２０ａを含んでいる。冷蔵室内空調機２０は、図示しないが、蒸発器と、蒸発器に併設された送風機とをさらに含んでいる。そして、冷蔵室内空調機２０は、送風機によって、冷蔵室２内の空気を蒸発器に吸い込ませるとともに、蒸発器で冷却した空気を冷蔵室２内に吹き出すように構成されている。
【００３０】
前室内空調機３０は、空調機制御部３０ａを含む。また、前室内空調機３０は、図示しないが、蒸発器と、蒸発器に併設された送風機とをさらに含み、送風機によって、前室３内の空気を蒸発器に吸い込ませるとともに、蒸発器で冷却した空気を前室３内に吹き出すように構成されている。
【００３１】
また、図１に示すように、冷蔵室２内には、冷蔵室２内の空気温度を検出するための冷蔵室内温度センサ２５が設けられている。また、前室３内には、前室３内の空気の温度を検出するための前室内温度センサ３５が設けられている。また、冷蔵室内温度センサ２５
および前室内温度センサ３５は、ともに、メイン制御部５に電気的に接続されている。また、冷蔵室内温度センサ２５および前室内温度センサ３５は、それぞれ冷蔵室扉２１および前室扉３１の近傍に設けられている。
【００３２】
冷蔵室扉２１は、断熱性を有しており、物品５０の前室３から冷蔵室２への搬入作業時および冷蔵室２から前室３への搬出作業時において開放され、それ以外の時には原則閉鎖されている。また、前室扉３１は、断熱性を有しており、物品５０の外部から前室３への搬入作業時および前室３から外部への搬出作業時において開放され、それ以外の時には原則閉鎖されている。したがって、冷蔵室扉２１と前室扉３１とは、原則物品５０の搬入作業時において同時に開放されることがないように構成されている。また、冷蔵室扉２１と前室扉３１とは、図１に示すように、Ｘ１方向側から見た側面視において、重ならないように配置されている。
【００３３】
冷蔵室扉開閉センサ２２は、冷蔵室扉２１の開閉状態を検知する機能を有しているとともに、冷蔵室扉２１の開閉の検知結果がメイン制御部５により取得されるように構成されている。
【００３４】
前室扉開閉センサ３２は、前室扉３１の開閉を検知する機能を有しているとともに、前室扉３１の開閉の検知結果がメイン制御部５により取得されるように構成されている。
【００３５】
メイン制御部５は、前室扉３１の開放および閉鎖の検知に基づく制御信号を、冷蔵室内空調機２０と前室内空調機３０とにそれぞれ送信するように構成されている。また、メイン制御部５は、冷蔵室扉２１の開放および閉鎖の検知に基づく制御信号を、冷蔵室内空調機２０のみに送信するように構成されている。
【００３６】
ここで、第１実施形態では、メイン制御部５は、冷蔵室扉２１の開放および閉鎖の検知に基づく制御信号を、冷蔵室内空調機２０に送信することにより、冷蔵室内空調機２０と前室内空調機３０との稼働状態を変更するように構成されている。また、メイン制御部５は、前室扉３１の開放および閉鎖の検知に基づく制御信号を、冷蔵室内空調機２０と前室内空調機３０とに送信することにより、冷蔵室内空調機２０と前室内空調機３０との稼働状態をそれぞれ変更するように構成されている。
【００３７】
具体的には、メイン制御部５は、前室扉３１の開放の検知に基づく制御信号を冷蔵室内空調機２０に送信することにより、冷蔵室内空調機２０を連続的に稼働させる温度上昇抑制制御を行うように構成されている。なお、前室扉３１が開放され、かつ、冷蔵室扉２１が閉鎖された状態において、冷蔵室内空調機２０を連続的に稼動した場合における冷蔵室２の温度は、冷蔵室内空調機２０の間欠的な稼動状態における冷蔵室２の温度（約−２５℃）よりも低くなる。これにより、前室３への物品５０の搬入作業後に行われる前室３から冷蔵室２への物品５０の搬入作業に伴い、前室３からの暖かい空気（前室に侵入した外部の空気）が冷蔵室２に侵入した場合において、冷蔵室２の約−２５℃を超えるような温度上昇が効果的に抑制される。すなわち、たとえ温度上昇があったとしても、約−２５℃に近づくだけで、約−２５℃を超えることがないように温度上昇が抑制される。また、メイン制御部５は、冷蔵室扉２１の閉鎖の検知に基づく制御信号を冷蔵室内空調機２０に送信することにより、冷蔵室内空調機２０を間欠的に稼働（通常稼働）させる温度維持制御を行うように構成されている。なお、温度上昇抑制制御および温度維持制御は、それぞれ本発明の「第１制御」および「第２制御」の一例である。
【００３８】
なお、連続的に稼働させるとは、冷蔵室内空調機２０からの冷蔵室２内への冷却した空気の吹き出しを継続して行うことを意味する。また、間欠的に稼働させるとは、冷蔵室内空調機２０からの冷蔵室２内への冷却した空気の吹き出しを継続して行うのではなく、停止と稼動とを交互に行いながら冷却した空気の吹き出しを断続的に行うことを意味する。
【００３９】
また、メイン制御部５は、前室扉３１の開放の検知に基づく制御信号を前室内空調機３０に送信することにより、前室内空調機３０を連続的に稼働させる温度上昇抑制制御を行うように構成されている。なお、前室内空調機３０を連続的に稼動した場合における前室３の温度は、前室内空調機３０の間欠的な稼動により維持されていた前室３の温度（約−５℃）よりも高くなることが抑制される。すなわち、前室３の温度上昇があったとしても、約−５℃からの大幅な温度上昇が抑制される。これにより、前室３への物品５０の搬入作業後に行われる前室３から冷蔵室２への物品５０の搬入作業に伴い、冷蔵室５の温度上昇が抑制される。また、メイン制御部５は、前室扉３１の閉鎖の検知に基づく制御信号を前室内空調機３０に送信することにより、前室内空調機３０を間欠的に稼働させる温度維持制御を行うように構成されている。
【００４０】
次に、図２を参照して、第１実施形態による冷蔵システム１のメイン制御部５による搬入作業時における冷蔵室内空調機２０および前室内空調機３０への制御処理フローについて説明する。
【００４１】
まず、ステップＳ１において、物品５０の搬入作業前の状態においては、前室扉３１および冷蔵室扉２１は、閉鎖されており、メイン制御部５（図１参照）により、冷蔵室内空調機２０と前室内空調機３０とが間欠的に稼働（通常稼働、温度維持制御）されている。なお、この時点（搬入作業前）では、冷蔵室２が約−２５℃、前室３が約−５℃に維持されている。
【００４２】
次に、ステップＳ２において、外部から前室３への物品５０の搬入作業が開始されることにより、前室扉３１が開放されたことが前室扉開閉センサ３２により検知されたか否かが判断される。開放が前室扉開閉センサ３２により検知されない場合は、検知されるまでステップＳ２が繰り返される。また、開放が前室扉開閉センサ３２により検知された場合は、ステップＳ３に進む。次に、ステップＳ３において、前室扉３１の開放の検知に基づく制御信号が冷蔵室内空調機２０と前室内空調機３０とに送信されることにより、冷蔵室内空調機２０と前室内空調機３０との両方の稼働状態が間欠的な稼動状態（温度維持制御）から連続的な稼動状態（温度上昇抑制制御）に変更される。つまり、メイン制御部５により、外部から前室３への物品５０の搬入作業と連動して、冷蔵室内空調機２０と前室内空調機３０との両方が連続的に稼動される温度上昇抑制制御が行われる。これにより、前室３は、前室扉３１の開放に伴う前室３内の温度上昇を抑制することが可能となる。また、冷蔵室２は、冷蔵室扉２１の開放に備え（物品５０の搬入作業に備え）て、予め冷蔵室２内を冷却しておくことが可能となる。
【００４３】
次に、ステップＳ４において、外部から前室３への物品５０の搬入作業が開始されることにより前室扉３１が閉鎖されたことが前室扉開閉センサ３２により検知されたか否かが判断される。すなわち、前室扉３１の閉鎖を検知した否かが判断される。前室扉３１の閉鎖が検知されていない場合は、検知されるまでステップＳ４が繰り返される。また、閉鎖が検知された場合は、ステップＳ５に進む。次に、ステップＳ５において、前室扉３１の開放の検知に基づく制御信号が前室内空調機３０に送信されることにより、前室内空調機３０の稼働状態が連続的な稼動状態から間欠的な稼動状態（温度維持制御）に変更される。
【００４４】
次に、ステップＳ６において、冷蔵室扉２１が開放されたことが冷蔵室扉開閉センサ２２により検知されたか否かが判断される。すなわち、冷蔵室扉２１の開放が検知される。なお、この時点で、前室３から冷蔵室２に物品５０の搬入作業が行われる。
【００４５】
次に、ステップＳ７において、前室３から冷蔵室２に物品５０の搬入作業が終了することにより冷蔵室扉２１が閉鎖されたことが冷蔵室扉開閉センサ２２により検知されたか否かが判断される。すなわち、冷蔵室扉２１の閉鎖を検知した否かが判断される。冷蔵室扉２１の閉鎖が検知されていない場合は、検知されるまでステップＳ７が繰り返される。また、閉鎖が検知された場合は、ステップＳ８に進む。次に、ステップＳ８において、冷蔵室扉２１の閉鎖の検知に基づく制御信号が冷蔵室内空調機２０に送信されることにより、冷蔵室内空調機２０の稼働状態が連続的な稼動状態から間欠的な稼動状態に変更される。以上により、メイン制御部５の搬入作業時における制御処理フローが終了する。
【００４６】
上記第１実施形態では、以下のような効果を得ることができる。
【００４７】
上記第１実施形態では、上記のように、外部から前室３への物品５０の搬入作業と連動して、物品５０の搬入作業に伴う冷蔵室２の温度上昇を抑制するように、冷蔵室内空調機２０および前室内空調機３０を稼働させることによって、前室３への物品５０の搬入作業の後に行われる冷蔵室２への物品５０の搬入作業の前から、冷蔵室内空調機２０および前室内空調機３０を外部から前室３への物品５０の搬入作業と連動させて、予め連続的に稼働させることができるので、前室３から冷蔵室２への物品５０の搬入作業に伴う、前室３からの暖かい空気（前室３に侵入した外部の空気）の侵入に備えることができ、物品５０の搬入作業に伴う冷蔵室２の温度上昇を抑制することができる。
【００４８】
また、上記第１実施形態では、上記のように、メイン制御部５を、冷蔵室２への物品５０の搬入作業の前に行われる前室３への物品５０の搬入作業が開始されたことに基づいて、物品５０の搬入作業に伴う冷蔵室２の温度上昇を抑制するように、冷蔵室内空調機２０および前室内空調機３０を稼働させる温度上昇抑制制御を開始するように構成する。これにより、冷蔵室２の温度上昇に影響する前室３への物品５０の搬入作業の開始時点から、冷蔵室内空調機２０および前室内空調機３０を稼働させることができるので、前室３から冷蔵室２への物品５０の搬入作業に伴う、前室３からの暖かい空気（前室３に侵入した外部の空気）の侵入により十分に備えることができ、物品５０の搬入作業に伴う冷蔵室２の温度上昇をより抑制することができる。
【００４９】
また、上記第１実施形態では、上記のように、メイン制御部５を、前室３への物品５０の搬入作業の開始時に前室扉開閉センサ３２により前室扉３１の開放が検知されたことに基づいて、物品５０の搬入作業に伴う冷蔵室２の温度上昇を抑制するように、冷蔵室内空調機２０および前室内空調機３０を稼働させる温度上昇抑制制御を開始するように構成する。これにより、外部の空気が侵入する前室扉３１の開放に基づいて、冷蔵室内空調機２０および前室内空調機３０のうちの少なくとも一方を稼働させることができるので、前室３から冷蔵室２への物品５０の搬入作業に伴う、前室３からの暖かい空気（前室３に侵入した外部の空気）の侵入に備えることができ、物品５０の搬入作業に伴う冷蔵室２の温度上昇を効果的に抑制することができる。
【００５０】
また、上記第１実施形態では、上記のように、メイン制御部５を、温度上昇抑制制御を行う際に、前室３への物品５０の搬入作業と連動して、物品５０の搬入作業に伴う冷蔵室２および前室３の温度上昇を抑制するように、冷蔵室内空調機２０および前室内空調機３０の両方を稼働させる温度上昇抑制制御を行うように構成する。これにより、前室３への物品５０の搬入作業と連動して、冷蔵室内空調機２０および前室内空調機３０の両方を稼働させることにより、一方だけを稼動させる場合と比べて、前室３から冷蔵室２への物品５０の搬入作業に伴う、前室３からの暖かい空気（前室３に侵入した外部の空気）の侵入により効果的に備えることができ、物品５０の搬入作業に伴う冷蔵室２の温度上昇をより一層効果的に抑制することができる。
【００５１】
また、上記第１実施形態では、上記のように、メイン制御部５を、前室３および冷蔵室２への搬入作業時以外では、冷蔵室内空調機２０および前室内空調機３０を間欠的に稼働させることにより、冷蔵室２および前室３をそれぞれ約−２５℃および約−５℃に維持する温度維持制御を行うとともに、前室３および冷蔵室２への搬入作業時では、冷蔵室内空調機２０および前室内空調機３０を連続的に稼働させることにより、物品５０の搬入作業に伴う冷蔵室２の温度上昇を抑制する温度上昇抑制制御を開始するように構成する。これにより、冷蔵室内空調機２０および前室内空調機３０を間欠的な稼動から連続的な稼動に変更することにより、物品５０の搬入作業に伴う冷蔵室２の温度上昇を抑制する温度上昇抑制制御を開始することができるので、容易に冷蔵室２の温度上昇を抑制するための制御を行うことができる。
【００５２】
また、上記第１実施形態では、上記のように、メイン制御部５を、冷蔵室扉開閉センサ２２により冷蔵室扉２１の閉鎖が検知されたことに基づいて、冷蔵室内空調機２０による温度上昇抑制制御を終了するとともに、前室扉開閉センサ３２により前室扉３１の閉鎖が検知されたことに基づいて、前室内空調機３０による温度上昇抑制制御を終了するように構成する。これにより、冷蔵室扉２１または前室扉３１の閉鎖により外部の空気が冷蔵室２に侵入しなくなることから、冷蔵室２の温度上昇を抑制する必要がなくなる。これにより、各々における温度上昇抑制制御を終了することによって、冷蔵室内空調機２０および前室内空調機３０の稼動が不要な場合は、冷蔵室内空調機２０および前室内空調機３０の稼動を停止させることができるので、冷蔵システム１における電力消費を抑制することができる。
【００５３】
（第２実施形態）
図３および図４を参照して、本発明の第２実施形態による冷蔵システム２０１の構成について説明する。
【００５４】
この第２実施形態では、前室扉開閉センサ３２により前室扉３１の開放が検知されたことに基づいて、温度上昇抑制制御（前室内空調機３０と冷蔵室内空調機２０とを連続的に稼動させる制御）を開始する上記第１実施形態とは異なり、前室扉開閉センサ３２により前室扉３１の開放が検知されたこと、および、搬入開始予定時刻のうちいずれか早い方に基づいて、温度上昇抑制制御を開始する例について説明する。なお、図中において、上記第１実施形態と同様の構成には、第１実施形態と同じ符号を付して図示している。
【００５５】
本発明の第２実施形態による冷蔵システム２０１は、図３に示すように、上記第１実施形態に加えて、記憶部（メモリ）２１０および入力部２１１が追加的に設けられている。具体的には、冷蔵システム２０１は、上記第１実施形態の冷蔵システム１の構成に加えて、メイン制御部５に電気的に接続される記憶部２１０と、記憶部２１０に記憶される搬入開始予定時刻の入力操作を受け付ける入力部２１１とをさらに備えている。なお、記憶部２１０および入力部２１１は、ともに外部に設けられている。
【００５６】
入力部２１１は、ユーザの入力操作により物品５０の搬入を予定している搬入予定時刻の入力を受け付けるように構成されている。また、メイン制御部５は、搬入予定時刻になると、前室内空調機３０および冷蔵室内空調機２０の稼動状態を、間欠的な稼動から連続的な稼動に変更する制御を行うように構成されている。
【００５７】
次に、図４を参照して、第２実施形態による冷蔵システム２０１のメイン制御部５による冷蔵室内空調機２０および前室内空調機３０の制御処理フローについて説明する。なお、図４において、上記第１実施形態と同様のステップには、第１実施形態と同じ符号を付して図示している。また、以下では、第１実施形態と異なる点について主に説明する。
【００５８】
まず、ステップＳ１において、物品５０の搬入作業前の状態においては、前室扉３１および冷蔵室扉２１は、閉鎖されていることにより、メイン制御部５（図３参照）により、冷蔵室内空調機２０と前室内空調機３０とが間欠的に稼働（通常稼働、温度維持制御）されている。なお、この時点（搬入作業前）では、冷蔵室２が約−２５℃、前室３が約−５℃に維持されている。
【００５９】
次に、ステップＳ２において、前室扉３１が開放されたか否かが判断される。すなわち、前室扉３１の開放が前室扉開閉センサ３２により検知された否かが判断される。前室扉３１の開放が検知されない場合は、ステップＳ１２に進む。開放が検知された場合は、ステップＳ３に進む。
【００６０】
次に、ステップＳ１２において、搬入予定時刻になったか否かが判断される。搬入予定時刻になっていない場合は、ステップＳ２に戻る。また、搬入予定時刻になったのであれば、ステップＳ３に進む。
【００６１】
次に、ステップＳ３において、前室扉３１の開放の検知に基づく制御信号が冷蔵室内空調機２０と前室内空調機３０とに送信されることにより、冷蔵室内空調機２０と前室内空調機３０との稼働状態が間欠的な稼動状態から連続的な稼動状態（温度上昇抑制制御）に変更される。これにより、前室扉開閉センサ３２により前室扉３１の開放が検知されたこと、および、搬入開始予定時刻のうちいずれか早い方に基づいて、冷蔵室内空調機２０と前室内空調機３０との温度上昇抑制制御が開始される。以降のステップは、上記第１実施形態と同様であるため、説明を省略する。
【００６２】
なお、第２実施形態による冷蔵システム２０１のその他の構成は、上記第１実施形態と同様である。
【００６３】
上記第２実施形態では、以下のような効果を得ることができる。
【００６４】
第２実施形態では、上記のように、外部から前室３への物品５０の搬入作業と連動して、物品５０の搬入作業に伴う冷蔵室２の温度上昇を抑制するように、冷蔵室内空調機２０および前室内空調機３０を連続的に稼働させることによって、上記第１実施形態と同様に、物品５０の搬入作業に伴う冷蔵室２の温度上昇を抑制することができる。
【００６５】
また、第２実施形態では、メイン制御部５は、前室扉開閉センサ３２により前室扉３１の開放が検知されたこと、および、記憶部２１０に記憶された搬入開始予定時刻のうちのいずれか早い方に基づいて、物品５０の搬入作業に伴う冷蔵室２の温度上昇を抑制するように、冷蔵室内空調機２０および前室内空調機３０を稼働させる温度上昇抑制制御を開始するように構成する。これにより、前室扉開閉センサ３２により前室扉３１の開放が検知される前に、搬入開始予定時刻になった場合には、前室扉開閉センサ３２により前室扉３１の開放が検知される前から冷蔵室内空調機２０および前室内空調機３０を予め稼働させることができるので、物品５０の搬入作業に伴う冷蔵室２の温度上昇をより効果的に抑制することができる。また、搬入開始予定時刻よりも前に物品５０の搬入作業が行われる場合であっても、前室扉３１の開放に基づいて、冷蔵室内空調機２０および前室内空調機３０を稼動させることができるので、前室３から冷蔵室２への物品５０の搬入作業に伴う、前室３からの暖かい空気（前室３に侵入した外部の空気）の侵入に備えることができ、物品５０の搬入作業に伴う冷蔵室２の温度上昇を確実に抑制することができる。
【００６６】
なお、第２実施形態のその他の効果は、上記第１実施形態と同様である。
【００６７】
（第３実施形態）
図５を参照して、本発明の第３実施形態による冷蔵システム３０１の構成について説明する。
【００６８】
この第３実施形態では、冷蔵システム１がメイン制御部５を備えている上記第１実施形態とは異なり、冷蔵システム３０１がメイン制御部を備えていない例について説明する。なお、図中において、上記第１実施形態と同様の構成には、第１実施形態と同じ符号を付して図示している。
【００６９】
この第３実施形態では、前室内空調機３０に内蔵された空調機制御部３０ａに、前室内温度センサ３５と前室内扉開閉センサ３２とが直接的に、かつ、電気的に接続されている。また、冷蔵室内空調機２０に内蔵された空調機制御部２０ａに、冷蔵室内温度センサ２５と冷蔵室内扉開閉センサ２２と前室内扉開閉センサ３２とが直接的に、かつ、電気的に接続されている。なお、上記第１実施形態では、メイン制御部５が温度上昇抑制制御を行うのに対して、第３実施形態では、空調機制御部２０ａおよび空調機制御部３０ａのそれぞれが温度上昇抑制制御を行うように構成されている。
【００７０】
上記第３実施形態では、以下のような効果を得ることができる。
【００７１】
第３実施形態では、上記のように、外部から前室３への物品５０の搬入作業と連動して、物品５０の搬入作業に伴う冷蔵室２の温度上昇を抑制するように、冷蔵室内空調機２０および前室内空調機３０を連続的に稼働させることによって、上記第１実施形態と同様に、物品５０の搬入作業に伴う冷蔵室２の温度上昇を抑制することができる。
【００７２】
また、第３実施形態では、前室内空調機３０に内蔵された空調機制御部３０ａに、前室内温度センサ３５と前室内扉開閉センサ３２とを直接的に、かつ、電気的に接続するとともに、冷蔵室内空調機２０に内蔵された空調機制御部２０ａに、前室内温度センサ３５と前室内扉開閉センサ３２とを直接的に、かつ、電気的に接続することによって、第１実施形態のように、外部にメイン制御部５を設ける必要がないので、冷蔵システム３０１の構成を簡略化することができる。
【００７３】
なお、第３実施形態のその他の効果は、上記第１実施形態と同様である。
【００７４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７５】
たとえば、上記第１および第２実施形態では、前室内空調機および冷蔵室内空調機の両方を稼動させることにより温度上昇抑制制御を行う例について示したが、本発明はこれに限られない。本発明では、たとえば、前室内空調機および冷蔵室内空調機のいずれか一方を稼動させることにより温度上昇抑制制御を行ってもよい。これにより、冷蔵システムの電力消費を抑制することが可能である。
【００７６】
また、上記第１および第２実施形態では、前室内空調機および冷蔵室内空調機の両方を同時に稼働させることにより温度上昇抑制制御を行う例について示したが、本発明はこれに限られない。本発明では、たとえば、先に前室内空調機を稼働させて、所定時間経過後に冷蔵室内空調機を稼動させることにより温度上昇抑制制御を行ってもよい。
【００７７】
また、上記第１および第２実施形態では、冷蔵室扉の閉鎖後、すぐに冷蔵室内空調機を連続的な稼動から間欠的な稼動に変更する例について示したが、本発明はこれに限られない。本発明では、たとえば、冷蔵室扉の閉鎖後、所定時間経過後に冷蔵室内空調機を連続的な稼動から間欠的な稼動に変更してもよい。なお、前室内空調機も同様の制御を行ってもよい。
【００７８】
また、上記第１および第２実施形態では、冷蔵室を約−２５℃、前室を−５℃に保つ例について示したが、本発明はこれに限られない。本発明では、冷蔵室の温度は前室および外部の温度よりも低く、かつ、前室の温度は、外部の温度よりも低ければよい。たとえば、外部の温度が−５℃の場合に、冷蔵室を約−４０℃、前室を約−２０℃に保つようにしてもよい。
【００７９】
また、上記第１および第２実施形態では、前室内空調機および冷蔵室内空調機を間欠的に稼動させることにより温度維持制御（第２制御）を行い、連続的に稼動させることにより温度上昇抑制制御（第１制御）を行う例について示したが、本発明はこれに限られない。本発明では、たとえば、前室内空調機および冷蔵室内空調機の稼動を停止させることにより第２制御を行い、前室内空調機および冷蔵室内空調機を稼動させることにより第１制御を行ってもよい。また、前室内空調機および冷蔵室内空調機の稼動を所定の弱モード（たとえば、吐出される風が弱いモード）で稼働させることにより第２制御を行い、前室内空調機および冷蔵室内空調機の稼動を所定の強モード（たとえば、吐出される風が強いモード）で稼働させることにより第１制御を行ってもよい。
【００８０】
また、上記第１および第２実施形態では、メイン制御部により、前室扉の閉鎖に基づいて、前室内空調機の稼動状態が連続的な稼動から間欠的な稼動に変更される例について示したが、本発明はこれに限られない。本発明では、たとえば、冷蔵室扉の開放に基づいて、前室内空調機の稼動状態が連続的な稼動から間欠的な稼動に変更されてもよい。これにより、前室扉の閉鎖後から冷蔵室扉の開放までに、外部の空気の侵入により上昇した前室の温度をより確実に低下させることが可能である。この結果、冷蔵室の温度上昇を効果的に抑制することが可能である。
【００８１】
また、上記第１および第２実施形態では、説明の便宜上、メイン制御部５による制御処理を処理フローに沿って順番に処理を行うフロー駆動型のフローチャートを用いて説明したが、本発明はこれに限られない。本発明では、メイン制御部５による処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８２】
１、２０１、３０１  冷蔵システム
２  冷蔵室
３  前室
４  搬入口
５  メイン制御部（制御手段）
２０  冷蔵室内空調機
２１  冷蔵室扉
２２  冷蔵室扉開閉センサ（冷蔵室扉開閉検知部）
３０  前室内空調機
３１  前室扉
３２  前室扉開閉センサ（前室扉開放検知部）
５０  物品
２１０  記憶部
【図１】
2015068629.tif 000003
【図２】
2015068629.tif 000004
【図３】
2015068629.tif 000005
【図４】
2015068629.tif 000006
【図５】
2015068629.tif 000007